(57)【特許請求の範囲】
【請求項１】
プリピットにより記録されたヘッダデータを含むヘッダ領域に続いて配置されるグルーブトラック、同じくプリピットにより記録されたヘッダデータを含むヘッダ領域に続いて配置されるランドトラックを半径方向に対して交互に有し、両トラックでコンテンツデータを保持する第１及び第２の記録層を有する光ディスクであって、
第１のヘッダ領域と、
前記第１のヘッダ領域の終端に続いて配置される第１のグルーブトラックと、
前記第１のヘッダ領域の半径方向に隣接配置され、且つ前記第１のヘッダ領域に対して所定長Ｔだけ円周方向にずれて配置される第２のヘッダ領域と、
前記第２のヘッダ領域の終端に続いて配置される第１のランドトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記第１のグルーブトラックは、前記第１のヘッダ領域の終端から前記所定長Ｔだけ離れた位置をデータ記録開始位置として、コンテンツデータを保持し、
前記第１のランドトラックは、前記第２のヘッダ領域の終端から前記所定長Ｔだけ離れた位置をデータ記録開始位置として、コンテンツデータを保持する、
ことを特徴とする光ディスク。
【請求項２】
プリピットにより記録されたヘッダデータを含むヘッダ領域に続いて配置されるグルーブトラック、同じくプリピットにより記録されたヘッダデータを含むヘッダ領域に続いて配置されるランドトラックを半径方向に対して交互に有し、両トラックでコンテンツデータを保持する第１及び第２の記録層を有する光ディスクであって、
第１のヘッダ領域と、
前記第１のヘッダ領域の終端に続いて配置される第１のグルーブトラックと、
前記第１のヘッダ領域の半径方向に隣接配置され、且つ前記第１のヘッダ領域に対して所定長Ｔだけ円周方向にずれて配置される第２のヘッダ領域と、
前記第２のヘッダ領域の終端に続いて配置される第１のランドトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記第１のグルーブトラックは、前記第１のヘッダ領域の終端から所定長２Ｔだけ離れた位置をデータ記録開始位置として、コンテンツデータを保持し、
前記第１のランドトラックは、前記第２のヘッダ領域の終端から所定長２Ｔだけ離れた位置をデータ記録開始位置として、コンテンツデータを保持する、
ことを特徴とする光ディスク。
【請求項３】
プリピットにより記録されたヘッダデータを含むヘッダ領域に続いて配置されるグルーブトラックを半径方向に対してランドエリアを挟んで複数有し、このグルーブトラックだけでコンテンツデータを保持する第１及び第２の記録層を有する光ディスクであって、
第１のヘッダ領域と、
前記第１のヘッダ領域の終端に続いて配置される第１のグルーブトラックと、
前記第１のヘッダ領域の半径方向にランドエリアを挟んで配置され、且つ前記第１のヘッダ領域に対して所定長Ｔだけ円周方向にずれて配置される第２のヘッダ領域と、
前記第２のヘッダ領域の終端に続いて配置される第２のグルーブトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記第１のグルーブトラックは、前記第１のヘッダ領域の終端から前記所定長Ｔだけ離れた位置をデータ記録開始位置として、コンテンツデータを保持し、
前記第２のグルーブトラックは、前記第２のヘッダ領域の終端から前記所定長Ｔだけ離れた位置をデータ記録開始位置として、コンテンツデータを保持する、
ことを特徴とする光ディスク。
【請求項４】
プリピットにより記録されたヘッダデータを含むヘッダ領域に続いて配置されるグルーブトラックを半径方向に対してランドエリアを挟んで複数有し、このグルーブトラックだけでコンテンツデータを保持する第１及び第２の記録層を有する光ディスクであって、
第１のヘッダ領域と、
前記第１のヘッダ領域の終端に続いて配置される第１のグルーブトラックと、
前記第１のヘッダ領域の半径方向にランドエリアを挟んで配置され、且つ前記第１のヘッダ領域に対して所定長Ｔだけ円周方向にずれて配置される第２のヘッダ領域と、
前記第２のヘッダ領域の終端に続いて配置される第２のグルーブトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記第１のグルーブトラックは、前記第１のヘッダ領域の終端から所定長２Ｔだけ離れた位置をデータ記録開始位置として、コンテンツデータを保持し、
前記第２のグルーブトラックは、前記第２のヘッダ領域の終端から所定長２Ｔだけ離れた位置をデータ記録開始位置として、コンテンツデータを保持する、
ことを特徴とする光ディスク。
【請求項５】
プリピットにより記録されたヘッダデータを含むヘッダ領域に続いて配置されるグルーブトラック、同じくプリピットにより記録されたヘッダデータを含むヘッダ領域に続いて配置されるランドトラックを半径方向に対して交互に有し、両トラックでコンテンツデータを保持する第１及び第２の記録層を有する光ディスクは、
第１のヘッダ領域と、
前記第１のヘッダ領域の終端に続いて配置される第１のグルーブトラックと、
前記第１のヘッダ領域の半径方向に隣接配置され、且つ前記第１のヘッダ領域に対して所定長Ｔだけ円周方向にずれて配置される第２のヘッダ領域と、
前記第２のヘッダ領域の終端に続いて配置される第１のランドトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記光ディスクに対してデータを記録する光ディスク装置であって、
前記第１のグルーブトラックにおける、前記第１のヘッダ領域の終端から前記所定長Ｔだけ離れた位置をデータ記録開始位置として、コンテンツデータを記録し、前記第１のランドトラックにおける、前記第２のヘッダ領域の終端から前記所定長Ｔだけ離れた位置をデータ記録開始位置として、コンテンツデータを記録する記録手段を備えたことを特徴とする光ディスク装置。
【請求項６】
プリピットにより記録されたヘッダデータを含むヘッダ領域に続いて配置されるグルーブトラックを半径方向に対してランドエリアを挟んで複数有し、このグルーブトラックだけでコンテンツデータを保持する第１及び第２の記録層を有する光ディスクは、
第１のヘッダ領域と、
前記第１のヘッダ領域の終端に続いて配置される第１のグルーブトラックと、
前記第１のヘッダ領域の半径方向にランドエリアを挟んで配置され、且つ前記第１のヘッダ領域に対して所定長Ｔだけ円周方向にずれて配置される第２のヘッダ領域と、
前記第２のヘッダ領域の終端に続いて配置される第２のグルーブトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記光ディスクに対してデータを記録する光ディスク装置であって、
前記第１のグルーブトラックにおける、前記第１のヘッダ領域の終端から前記所定長Ｔだけ離れた位置をデータ記録開始位置として、コンテンツデータを記録し、前記第２のグルーブトラックにおける、前記第２のヘッダ領域の終端から前記所定長Ｔだけ離れた位置をデータ記録開始位置として、コンテンツデータを記録する記録手段を備えたことを特徴とする光ディスク装置。
【請求項７】
プリピットにより記録されたヘッダデータを含むヘッダ領域に続いて配置されるグルーブトラック、同じくプリピットにより記録されたヘッダデータを含むヘッダ領域に続いて配置されるランドトラックを半径方向に対して交互に有し、両トラックでコンテンツデータを保持する第１及び第２の記録層を有する光ディスクは、
第１のヘッダ領域と、
前記第１のヘッダ領域の終端に続いて配置される第１のグルーブトラックと、
前記第１のヘッダ領域の半径方向に隣接配置され、且つ前記第１のヘッダ領域に対して所定長Ｔだけ円周方向にずれて配置される第２のヘッダ領域と、
前記第２のヘッダ領域の終端に続いて配置される第１のランドトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記光ディスクからデータを再生する光ディスク装置であって、
前記第１のグルーブトラックにおける、前記第１のヘッダ領域の終端から前記所定長Ｔだけ離れた位置をデータ再生開始位置として、コンテンツデータを再生し、前記第１のランドトラックにおける、前記第２のヘッダ領域の終端から前記所定長Ｔだけ離れた位置をデータ再生開始位置として、コンテンツデータを再生する再生手段を備えたことを特徴とする光ディスク装置。
【請求項８】
プリピットにより記録されたヘッダデータを含むヘッダ領域に続いて配置されるグルーブトラックを半径方向に対してランドエリアを挟んで複数有し、このグルーブトラックだけでコンテンツデータを保持する第１及び第２の記録層を有する光ディスクは、
第１のヘッダ領域と、
前記第１のヘッダ領域の終端に続いて配置される第１のグルーブトラックと、
前記第１のヘッダ領域の半径方向にランドエリアを挟んで配置され、且つ前記第１のヘッダ領域に対して所定長Ｔだけ円周方向にずれて配置される第２のヘッダ領域と、
前記第２のヘッダ領域の終端に続いて配置される第２のグルーブトラックと、
を有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記光ディスクからデータを再生する光ディスク装置であって、
前記第１のグルーブトラックにおける、前記第１のヘッダ領域の終端から前記所定長Ｔだけ離れた位置をデータ再生開始位置として、コンテンツデータを再生し、前記第２のグルーブトラックにおける、前記第２のヘッダ領域の終端から前記所定長Ｔだけ離れた位置をデータ再生開始位置として、コンテンツデータを再生する再生手段を備えたことを特徴とする光ディスク装置。
【発明の詳細な説明】
【０００１】
【発明の属する技術分野】
この発明は、大容量光ディスクの記録フォーマットの改良に関する。また、この発明は、大容量光ディスクに対して改良された記録フォーマットに従いデータを記録する光ディスク装置に関する。さらに、この発明は、大容量光ディスクに対して改良された記録フォーマットで記録されたデータを再生する光ディスク装置に関する。
【０００２】
【従来の技術】
従来の光ディスクのトラック構造の一例について、図２１を用いて説明する。光ディスクの半径方向に複数のグルーブトラック１１及びランドトラック１２が交互に配置されている。各トラックは半径方向に微小量ウォブルされている。また、各トラックは半径方向にそろった複数の円弧状セクタに分割されており、各円弧状セクタの先頭部には、記録領域を識別するアドレス情報を有するヘッダ６が配置されている。ヘッダ６は半径方向にそろって放射状に配置されている。
【０００３】
例えば、各トラックの幅は約０．６μｍ、グルーブトラックの溝の深さは約６０ｎｍ、１セクタの長さは約６ｍｍである。１セクタは、２０４８バイトのユーザデータを記憶可能な容量を有する。グルーブ部およびランド部は約２０ｎｍの振幅で半径方向に搖動（ウォブル）されている。ウォブルの周期はセクタ長さの１／２３２すなわち、約２５μｍに設定されている。この１：２３２と言う比は、記録データの長さ（チャネルビット長）に対してウォブルの周期が整数倍になるように選ばれている。これは、ウォブルから記録クロックを容易に生成できるようにするためである。
【０００４】
図２１はトラック先頭部のヘッダ部分、すなわち識別情報部分の詳細を示したものである。図２１に示すように、識別情報は、第１の位置６３１及び第２の位置６３２の２つの場所に半径方向にそろって放射状に配置されている。前後のトラックはグルーブトラック１１同士、ランドトラック１２同士で接続している。この図２１では各識別情報はその右側のトラックの記録領域に対応している。さらに、図２１の右側のグルーブトラック１１に対応する識別情報は第１の位置６３１に、ランドトラック１２に対応する識別情報は第２の位置６３２に配置されている。結果的に、半径方向に隣接する二つのトラックの境界の延長線上の二つの識別情報の位置は、円周方向に一定距離だけずれて配置されている。さらに見方を変えると、第１の位置６３１には１トラックピッチごとに半径方向にそろって識別情報が配置されており、第２の位置６３２にも１トラックピッチごとに半径方向にそろって識別情報が配置されている。
【０００５】
これにより、例えば、グルーブトラック１１上を光スポット２１が走査した場合、第１の位置６３１及び第２の位置６３２において、同時に複数の識別情報（プリピット列）が再生されることはない。つまり、クロストークの影響を受けることがない。従って、識別情報に含まれるアドレス情報をクロストーク無く良好に再生することが可能となる。アドレス情報は、例えば８／１６変調符号（チャネルビット長０．１４μｍ）により記録されている。
【０００６】
ヘッダ部における識別情報は、小さな窪み（ピット）によって記録されている。このピットは、ディスクの製造時のグルーブ形成工程において形成される。光ディスクの記録膜としては、例えば相変化型記録膜（ＧｅＳｂＴｅ）が用いられる。この相変化型記録膜に記録マーク（非晶質領域）が形成される。
【０００７】
以上の従来例は、たとえば、特許２８５６３９０などに詳しく記載されている。
【０００８】
【発明が解決しようとする課題】
上記した従来の識別情報、すなわちアドレス情報の配置方法では、半径方向に隣接する識別情報に起因するクロストークの影響を取り除くことができる。しかし、例えば、２トラック隣の識別情報（半径方向に１トラックピッチ離れた距離に配置された識別情報同士）が一つの光のスポット内に入るような条件で再生されると、クロストークの影響を受けてしまうという問題があった。このような条件は、例えば、図２２に示したように、二つの記録層（第１の記録層１５及び第２の記録層１６）を有する光ディスクの再生時に発生し得る。つまり、二つの記録層のうち、第２の記録層１６に光スポットを集光して再生した場合に、第１の記録層１５上の光スポット２１に関して起こり得る。なぜなら、第１の記録層１５の上では、光スポットはフォーカスされていない。このため、光スポット２１がボケて非常に大きくなってしまい、複数のトラックの影響を同時に受けることになる。この場合、半径方向に揃った複数の識別情報が同時に一つのスポット内に入ってしまう。このため、この識別情報の影響が非常に大きくなってしまい、二層記録媒体への展開は実質的に不可能であった。
【０００９】
同様に、層間の影響は、図２３に示すように記録部と未記録部が混在する場合にも現れる。図２３に示す例では、記録単位領域（記録ユニット）の先頭が複数のトラック１４にわたって周方向に揃っている。このため、光スポット２１が記録済みの記録単位領域１３が多数存在する領域から、未記録部が大多数である領域へと移動したときに、光ポット全体では図２４に示すように反射率や透過率が大きく変化することになる。このため、この第１の記録層１５が光スポットの反射光や透過光に急激に影響を与え、多層記録型ディスクでの層間の影響によって、記録再生対象の第２の記録層１６の再生信号品質が大きく劣化することになる。
【００１０】
本発明の目的は、再生信号品質の劣化を防止することが可能な記録フォーマットによりデータが記録された光ディスクを提供することにある。また、本発明の目的は、再生信号品質の劣化を防止することが可能な記録フォーマットで光ディスクに対してデータを記録することが可能な光ディスク装置、及びこの記録フォーマットで記録されたデータを再生することが可能な光ディスク装置を提供することにある。
【００１１】
【課題を解決するための手段】
上記課題を解決し目的を達成するために、この発明の光ディスク及び光ディスク装置は、以下のように構成されている。
【００１２】
（１）この発明は、プリピットにより記録されたヘッダデータを含むヘッダ領域に続いて配置されるグルーブトラック、同じくプリピットにより記録されたヘッダデータを含むヘッダ領域に続いて配置されるランドトラックを半径方向に対して交互に有し、両トラックでコンテンツデータを保持する光ディスクであって、
第１のヘッダ領域と、前記第１のヘッダ領域の終端に続いて配置される第１のグルーブトラックと、前記第１のヘッダ領域の半径方向に隣接配置され、且つ前記第１のヘッダ領域に対して所定長Ｔだけ円周方向にずれて配置される第２のヘッダ領域と、前記第２のヘッダ領域の終端に続いて配置される第１のランドトラックとを有し、
前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
前記第１のグルーブトラックは、前記第１のヘッダ領域の終端から前記所定長Ｔだけ離れた位置をデータ記録開始位置として、コンテンツデータを保持し、前記第１のランドトラックは、前記第２のヘッダ領域の終端から前記所定長Ｔだけ離れた位置をデータ記録開始位置として、コンテンツデータを保持する。
【００１３】
（２）この発明の光ディスク装置によりデータが記録される光ディスクは、プリピットにより記録されたヘッダデータを含むヘッダ領域に続いて配置されるグルーブトラック、同じくプリピットにより記録されたヘッダデータを含むヘッダ領域に続いて配置されるランドトラックを半径方向に対して交互に有し、両トラックでコンテンツデータを保持し、さらに、この光ディスクは、第１のヘッダ領域と、前記第１のヘッダ領域の終端に続いて配置される第１のグルーブトラックと、前記第１のヘッダ領域の半径方向に隣接配置され、且つ前記第１のヘッダ領域に対して所定長Ｔだけ円周方向にずれて配置される第２のヘッダ領域と、前記第２のヘッダ領域の終端に続いて配置される第１のランドトラックとを有し、前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
この発明の光ディスク装置は、前記第１のグルーブトラックにおける、前記第１のヘッダ領域の終端から前記所定長Ｔだけ離れた位置をデータ記録開始位置として、コンテンツデータを記録し、前記第１のランドトラックにおける、前記第２のヘッダ領域の終端から前記所定長Ｔだけ離れた位置をデータ記録開始位置として、コンテンツデータを記録する記録手段を備えている。
【００１４】
（３）この発明の光ディスク装置によりデータが再生される光ディスクは、プリピットにより記録されたヘッダデータを含むヘッダ領域に続いて配置されるグルーブトラック、同じくプリピットにより記録されたヘッダデータを含むヘッダ領域に続いて配置されるランドトラックを半径方向に対して交互に有し、両トラックでコンテンツデータを保持し、さらに、この光ディスクは、第１のヘッダ領域と、前記第１のヘッダ領域の終端に続いて配置される第１のグルーブトラックと、前記第１のヘッダ領域の半径方向に隣接配置され、且つ前記第１のヘッダ領域に対して所定長Ｔだけ円周方向にずれて配置される第２のヘッダ領域と、前記第２のヘッダ領域の終端に続いて配置される第１のランドトラックとを有し、  前記第１のヘッダ領域のヘッダデータと前記第２のヘッダ領域のヘッダデータは夫々少なくとも二つに分割され円周方向に対してスペースを挟んで所定間隔毎に配置されており、前記分割された第１のヘッダ領域の各々のヘッダデータは第２のヘッダ領域のスペースに対して半径方向に隣接して配置され、
この発明の光ディスク装置は、前記第１のグルーブトラックにおける、前記第１のヘッダ領域の終端から前記所定長Ｔだけ離れた位置をデータ再生開始位置として、コンテンツデータを再生し、前記第１のランドトラックにおける、前記第２のヘッダ領域の終端から前記所定長Ｔだけ離れた位置をデータ再生開始位置として、コンテンツデータを再生する再生手段を備えている。
【００１５】
【発明の実施の形態】
以下、図面を参照しながら本発明の第１の実施形態を説明する。
【００１６】
図１は、本発明の一例に係る光ディスクのトラックおよびヘッダ領域の配置を示す図である。光ディスク１０１は、例えば直径１２０ｍｍの円盤状のディスクであり、中心部にはディスクを回転させるモータに取り付けるための内穴１０２（例えば直径１５ｍｍ）が開いている。光ディスク１０１の記録領域最内周部１０３（例えば直径４８ｍｍ）から記録領域最外周部１０４（例えば直径１１６ｍｍ）の間の領域にはグルーブがスパイラル状に形成されており、データの記録再生を行うことができる。図１の上部には、記録再生可能な領域内の識別情報部（ヘッダデータ部）、すなわちヘッダ領域を含む周辺の拡大図が示されている。ここで説明する光ディスクはいわゆるランド＆グルーブ記録フォーマットの光ディスクであり、この光ディスクには物理的な凹部により形成されたグルーブトラック１０５と、隣接する２つのグルーブトラック１０５の間に相対的に形成されたランドトラック１０６とが情報記録トラックとして配置されている。グルーブトラック１０５とランドトラック１０６は記録領域１０７を構成し、例えばディスク媒体の相変化によるユーザデータ（＝コンテンツデータ）が反映されたマークが記録可能である。グルーブトラック１０５はユーザデータの記録単位毎にその先頭の一部が途切れており、その途切れた領域（ヘッダ領域１０８）に例えば記録単位の番号を示す識別情報が、微小な凹部あるいは凸部で構成されるプリピットにより予め記録される。ヘッダ領域１０８はトラックに沿ってほぼ一定の間隔Ｄ（ｍｍ）をおいて配置される。このときの様子を図８に示す。図８（ａ）の場合は、グルーブトラック１０５がスパイラル状に一周する長さ（線分ＡＢの長さ）は、ヘッダ領域１０８の先頭から次のヘッダ領域１０８の先頭までの長さはＤ（ｍｍ）であるので、Ｍ×Ｄ−α（ｍｍ）（Ｍは正の整数で図８の場合は６、αは実数）となる。すなわち、トラック１周後のヘッダ領域１０８は一周前のヘッダ領域からα（ｍｍ）だけずれて形成される。光ディスク１０１内の任意のトラックにおいてこの条件が成り立つように構成すると、ディスク全面においてヘッダ領域１０８が半径方向に揃わずに、少しずつずれながら形成される。こうして、結果としてヘッダ領域１０８はディスク上でグルーブトラック１０５のスパイラルとは異なるスパイラル状に形成される。なお、図８（ｂ）のようにグルーブトラック１０５がスパイラル状に一周する長さを、Ｍ×Ｄ＋α（ｍｍ）としてもよい。この場合は、ヘッダ領域１０８によりディスク上に形成されるスパイラルが図８（ａ）とは逆方向になる。
【００１７】
ここで、図２を参照して、例えば２層の記録層を有する光ディスクのトラックおよびヘッダ領域の配置を考える。図２に示すように、情報記録層が対物レンズ１２１に近い側から第０の記録層１２２、第１の記録層１２３と積層されているとする。この場合、第１の記録層１２３に集光した光スポットは、第０の記録層１２２ではフォーカスされずボケた状態（デフォーカス状態）で非常に大きな光スポットを形成することになる。この第０の記録層１２２に形成されたデフォーカス状態の光スポットの反射光は、対物レンズ１２１内に、第１の記録層１２３に集光した光スポットによる反射光と共に入射する。このため、情報記録再生上、漏話（クロストーク）成分となる。従って、第０の記録層１２２のデフォーカス状態の光スポットによる反射光が大きく変動する場合は、正確な情報記録再生に大きな影響を及ぼし、実質的に記録再生が不可能となってしまう。
【００１８】
ここで、図１に示すヘッダ領域の配置を採用した光ディスクを複層化したケースについて考える。つまり、半径方向に隣接するヘッダがずれ量αずつずれて配置された光ディスクの第１の記録層１２３の情報を記録再生する場合について考える。このケースにおける、第０の記録層１２２のデフォーカス状態の光スポットの状態を図３（ａ）に示す。この光ディスクにおいては上記のようにヘッダ領域１０８がディスク上でスパイラル状に形成されているため（図３上図参照）、デフォーカス状態の光スポット１２４内にヘッダ領域１０８が大きな面積を占めることがなく、徐々にヘッダ領域１０８を横切るようになる。このとき光スポット１２４による反射光量は大きな変動を示さない。
【００１９】
一方、従来の光ディスク、つまりヘッダ領域が半径方向に揃って配置された光ディスクでは図３（ｂ）の如く、デフォーカス状態の光スポット２１は、半径方向に揃って放射状に配置されたヘッダ領域６を横切るとき、記録領域２４が光スポット２１内のほぼ全域を占める状態から、ヘッダ領域６が光スポット２１内のほぼ全域を占める状態へと急激に変化するため反射光量が大きく変動してしまうことになる。
【００２０】
図３（ａ）のケースの第１の記録層１２３の再生信号の様子を図９（ａ）に示し、図３（ｂ）のケースの第１の記録層１２３の再生信号の様子を図９（ｂ）に示す。本発明のヘッダ領域配置を採用した光ディスクの場合は、第０の記録層１２２からの反射光量は大きな変動を示さないため、図９（ａ）のように安定したレベルを維持する。一方、従来の光ディスクの場合は、図９（ｂ）のように、第０の記録層１２２上のデフォーカス状態の光スポット２１がヘッダ領域６を横切るときに反射光量が大きく変化するため、第１の記録層１２３の再生信号を大きく変動させてしまう。このように、従来のヘッダ領域によるクロストークの問題が、本発明のヘッダ領域配置を採用した光ディスクで解消される。また、従来の記録部と未記録部が混在する場合の問題も、本発明のヘッダ領域配置を採用した光ディスクでは解消される。これは、図４に示すように記録済みの記録単位領域が多数存在する領域１２５から、未記録部が大多数である記録領域１２６へと移動するときに、光スポットは緩やかに両領域を移行することになるため、従来のような急激な反射率変化を起こさないからである。
【００２１】
こうして、本発明のヘッダ領域配置を採用した光ディスクでは、従来問題となっていたデフォーカス状態の光スポットによる他方の層への影響が抑制され、２層の記録層への情報の展開が初めて可能となるのである。
【００２２】
次に、本発明の光ディスクにおけるヘッダ領域のプリピットの配置について説明する。図１のヘッダ領域１０８にはグルーブトラック１０５およびランドトラック１０６の延長線上に、記録単位の番号等を含む識別情報（ヘッダデータ）がプリピットとして記録される。このとき、グルーブトラック１０５上のプリピットヘッダ１０９とランドトラック１０６上のプリピットヘッダ１１０を半径方向に隣接させた場合、互いの信号がクロストークとなるため、円周方向にずらして配置する。
【００２３】
この条件の下になるべくヘッダ領域を短く構成した場合には図５（ａ）のような構成になる。この場合、プリピットヘッダ１０９とプリピットヘッダ１１０の長さを共にＮバイトとすると、グルーブトラック１０５およびランドトラック１０６が途切れる区間は、２Ｎバイトとなる。しかしこのようにヘッダ領域１０８を構成すると、グルーブ上のプリピットヘッダ１０９の半径方向の両隣にランド領域が隣接するのに対して、ランド上のプリピットヘッダ１１０の半径方向の一方にランド領域が隣接し、他方にグルーブ領域が隣接することになる。この場合、プリピットヘッダ１０９とプリピットヘッダ１１０の再生信号振幅が一致しない状態が容易に想像される。従って、このようなプリピットヘッダの配置は好ましくない。
【００２４】
そこで図５（ｂ）のようにプリピットヘッダの半径方向の両隣が常にランド領域となるように、グルーブトラック１０５およびランドトラック１０６の途切れる区間を広げて構成する。この場合は、グルーブ上のプリピットヘッダ１０９とランド上のプリピットヘッダ１１０を再生した場合はほぼ同一の信号振幅が得られることが期待できる。
【００２５】
ところで、この場合、グルーブトラック１０５とランドトラック１０６の途切れる区間は３Ｎバイトとなる。各トラックのヘッダ領域において有効な情報（識別情報）はそのうちＮバイトのみであるため、残りの２Ｎバイトは冗長な領域である。本発明の光ディスクではこの冗長な領域を低減させるために図５（ｃ）のようなプリピットヘッダの配置を採る。識別情報に含まれる記録単位の番号は通常読取り率の向上のため２回同じ情報が繰返し記録されることが多い。したがって、この識別情報を記録したプリピットヘッダは同一の記録単位の番号が記録された２つのプリピットヘッダとして物理的に２等分することが可能である。そこで、グルーブ上のプリピットヘッダ１０９とランド上のプリピットヘッダ１１０を各々２等分し、図５（ｃ）のように分割したプリピットヘッダの間に互いのプリピットヘッダが入るように交互に配置する。こうすると、各々のプリピットヘッダの長さはＮ／２バイトとなりグルーブトラック１０５とランドトラック１０６が途切れる区間は２．５Ｎバイトとなる。各トラックのヘッダ領域において有効な情報（識別情報）は分割前と同じくＮバイトであるため、冗長な領域は１．５Ｎバイトとなり分割前よりも２５％低減した。よって本発明のプリピットヘッダの配置を採ることにより、冗長度が低減でき、ひいてはユーザデータ容量を拡大するという効果があるのである。
【００２６】
なお、図５（ｃ）のようなプリピットヘッダの配置を採る場合、図８で説明したトラック１周の長さとは、グルーブトラック１０５あるいはランドトラック１０６がスパイラル状に一周する長さであるので、その一周あたりのずれ量αは図５（ｃ）からも分かるように１つのプリピットヘッダ長の２倍（Ｎバイト）となる。
【００２７】
次に、図１０〜図１５を参照して、グルーブトラック及びランドトラックにデータを記録する場合について説明する。
【００２８】
図１０は、ヘッダ領域の直後のグルーブトラック及びランドトラックにユーザデータ（＝コンテンツデータ）を記録した状態を示す図である。ヘッダ領域の直後のグルーブトラック及びランドトラックからデータが記録できるので、記録効率という点では優れている。しかし、ヘッダ領域の直後のランドトラックの半径方向の一方の隣接領域はミラー部、他方の隣接領域はグルーブトラックとなっているため、左右の戻り光がアンバランスとなってしまう。また一方にグルーブトラックが存在しないため、ｐｕｓｈ−ｐｕｌｌトラッキングが困難となる。
【００２９】
続いて、図１１を参照して、グルーブトラック及びランドトラック夫々の延長上のヘッダ領域の終端から円周方向に所定長（所定長Ｔ＝α／２＝Ｎ／２）だけ離れた位置を記録開始位置とし、又ヘッダ領域の先端から円周方向に所定長（所定長Ｔ＝α／２＝Ｎ／２）だけ離れた位置を記録終了位置として、ランドトラック及びグルーブトラックにユーザデータを記録するケースについて説明する。この場合、ランドトラックの記録開始位置における半径方向の隣接領域の片側だけがミラー部になってしまうという状態は避けられる。しかし、ランドトラック及びグルーブトラックの両トラックへの記録開始のタイミングが、ｐｕｓｈ−ｐｕｌｌトラッキングと同時になる。このため、記録開始直後に記録状態及びトラッキングが不安定となることが予想される。
【００３０】
続いて、図１２を参照して、グルーブトラック及びランドトラック夫々の延長上のヘッダ領域の終端から円周方向に所定長（所定長Ｔ＝α＝Ｎ）だけ離れた位置を記録開始位置とし、又ヘッダ領域の先端から円周方向に所定長（所定長Ｔ＝α＝Ｎ）だけ離れた位置を記録終了位置として、ランドトラック及びグルーブトラックにユーザデータを記録するケースについて説明する。この場合も、ランドトラックの記録開始位置における半径方向の隣接領域の片側だけがミラー部になってしまうという状態は避けられる。さらに、ランドトラック及びグルーブトラックの両トラックへの記録開始のタイミングが、ｐｕｓｈ−ｐｕｌｌトラッキングと時間差で生じる。このため、記録開始直後に記録状態及びトラッキングが不安定となる状態を避けることができる。
【００３１】
続いて、図１３を参照して、ランドトラック延長上のヘッダ領域の終端から円周方向に所定長（所定長Ｔ＝α／２＝Ｎ／２）だけ離れた位置を記録開始位置とし、又ランドトラック延長上のヘッダ領域の先端から円周方向に所定長（所定長Ｔ＝α／２＝Ｎ／２）だけ離れた位置を記録終了位置として、ランドトラックにユーザデータを記録し、グルーブトラックの延長上のヘッダ領域の終端直後を記録開始位置とし、又グルーブトラックの延長上のヘッダ領域の先端直前を記録終了位置として、グルーブトラックにユーザデータを記録するケースについて説明する。この場合、ランドトラックの記録開始位置における半径方向の隣接領域の片側だけがミラー部になってしまうという状態は避けられる。しかし、ランドトラック及びグルーブトラックの両トラックへの記録開始のタイミングが、ｐｕｓｈ−ｐｕｌｌトラッキングと同時になる。このため、記録開始直後に記録状態及びトラッキングが不安定となることが予想される。
【００３２】
続いて、図１４を参照して、ランドトラック延長上のヘッダ領域の終端から円周方向に所定長（所定長Ｔ＝α＝Ｎ）だけ離れた位置を記録開始位置とし、又ランドトラック延長上のヘッダ領域の先端から円周方向に所定長（所定長Ｔ＝α／２＝Ｎ／２）だけ離れた位置を記録終了位置として、ランドトラックにユーザデータを記録し、グルーブトラックの延長上のヘッダ領域の終端から円周方向に所定長（所定長Ｔ＝α／２＝Ｎ／２）だけ離れた位置を記録開始位置とし、又グルーブトラックの延長上のヘッダ領域の先端直前を記録終了位置として、グルーブトラックにユーザデータを記録するケースについて説明する。この場合、ランドトラックの記録開始位置における半径方向の隣接領域の片側だけがミラー部という状態は避けられる。しかも、ランドトラック及びグルーブトラックの両トラックへの記録開始のタイミングが、ｐｕｓｈ−ｐｕｌｌトラッキングと時間差で生じる。このため、記録開始直後に記録状態及びトラッキングが不安定となる状態を避けることができる。また、上記したように記録終了位置を定めることにより、記録容量の低下を抑制できる。
【００３３】
続いて、図１５を参照して、ランドトラック延長上のヘッダ領域の終端から円周方向に所定長（所定長Ｔ＝１．５α＝１．５Ｎ）だけ離れた位置を記録開始位置とし、又ランドトラック延長上のヘッダ領域の先端から円周方向に所定長（所定長Ｔ＝α／２＝Ｎ／２）だけ離れた位置を記録終了位置として、ランドトラックにユーザデータを記録し、グルーブトラックの延長上のヘッダ領域の終端から円周方向に所定長（所定長Ｔ＝α＝Ｎ）だけ離れた位置を記録開始位置とし、又グルーブトラックの延長上のヘッダ領域の先端直前を記録終了位置として、グルーブトラックにユーザデータを記録するケースについて説明する。この場合、ランドトラックの記録開始位置における半径方向の隣接領域の片側だけがミラー部という状態は避けられる。しかも、ランドトラック及びグルーブトラックの両トラックへの記録開始のタイミングが、ｐｕｓｈ−ｐｕｌｌトラッキングと時間差で生じる。このため、記録開始直後に記録状態及びトラッキングが不安定となる状態を避けることができる。また、図１４に示すケースよりも、ヘッダ領域の終端から記録開始位置までの距離を長く取っているので、トラッキングがより安定する。また、上記したように記録終了位置を定めることにより、記録容量の低下を抑制できる。
【００３４】
次に、本発明の第２の実施形態について、図面を参照して説明する。上記説明した第１の実施形態では、グルーブトラック及びランドトラックの両トラックでユーザデータを保持する光ディスクについて説明したが、この第２の実施形態では、グルーブトラックだけでユーザデータを保持する光ディスクについて説明する。
【００３５】
図６は、本発明の一例に係る光ディスクのトラックおよびヘッダ領域の配置を示す図である。第２の実施形態では、グルーブトラックのみを情報記録トラックとして用いる、いわゆるグルーブ記録フォーマットの光ディスクについて説明する。図１に示す第１の実施形態の光ディスクとの違いは、グルーブトラック１０５のみを情報を記録再生するトラックとして用いる点である。したがって、ヘッダ領域１０８もグルーブトラック１０５上にのみ配置される。ヘッダ領域１０８はトラックに沿ってほぼ一定の間隔Ｄ（ｍｍ）をおいて配置されるのは第１の実施形態と同じである。また、グルーブトラック１０５がスパイラル状に一周する長さとヘッダ領域間隔との関係も、図８の第１の実施形態と同じであり、トラック１周後のヘッダ領域１０８は一周前のヘッダ領域からα（ｍｍ）だけずれて形成される。結果としてヘッダ領域１０８がディスク上でスパイラル状に形成されるのは第１の実施形態と同じである。したがって、２層の情報記録層をもつ光ディスクにおける情報記録層間のクロストークの問題は、第１の実施形態と同様の議論により問題とはならなくなるのは明らかである。
【００３６】
次に、図７を参照して、第２の実施形態の光ディスクにおけるヘッダ領域のプリピットの配置について説明する。グルーブトラック１０５のみにプリピットヘッダ１０９を配置する場合に、なるべくヘッダ領域を短く構成した場合には図７（ａ）のような構成になる。この場合、プリピットヘッダ１０９の長さをＮバイトとすると、グルーブトラック１０５が途切れる区間はＮバイトとなる。しかしこのようにヘッダ領域１０８を構成すると、プリピットヘッダ１０９には左右にグルーブ領域が非常に近接して配されることになる。この場合、プリピットヘッダ１０９の信号振幅が十分に得られない状態となることが容易に想像される。したがって、このようなプリピットヘッダの配置は好ましくない。
【００３７】
そこで図７（ｂ）のようにプリピットヘッダの両隣が常にランド領域となるように、グルーブトラック１０５の途切れる区間を広げて構成する。こうすると、プリピットヘッダ１０９を再生した場合に十分な信号振幅が期待できる。この場合、グルーブトラック１０５の途切れる区間は３Ｎバイトとなる。各トラックのヘッダ領域において有効な情報（識別情報）はそのうちＮバイトのみであるため、残りの２Ｎバイトは冗長な領域である。従って、第１の実施形態の光ディスクと同様に本実施形態の光ディスクではこの冗長な領域を低減させるために図７（ｃ）のようなプリピットヘッダの配置を採る。すなわち、プリピットヘッダ１０９を同一の記録単位の番号が記録された２つのプリピットヘッダとして物理的に２等分し、分割したプリピットヘッダの間に隣接するトラックのプリピットヘッダが入るように隣接トラックで交互に配置するのである。こうすると、各々のプリピットヘッダの長さはＮ／２バイトとなりグルーブトラック１０５が途切れる区間は２．５Ｎバイトとなる。各トラックのヘッダ領域において有効な情報（識別情報）は分割前と同じくＮバイトであるため、冗長な領域は１．５Ｎバイトとなり分割前よりも２５％低減した。よってこの第２の実施形態のプリピットヘッダの配置を採ることにより、第１の実施形態の光ディスクと同じく冗長度が低減でき、ひいてはユーザデータ容量を拡大するという効果があるのである。
【００３８】
なお、図７（ｃ）のようなプリピットヘッダの配置を採る場合、上述したトラック一周あたりのずれ量αは図から明らかように、１つのプリピットヘッダ長とほぼ同一（Ｎ／２バイト）となる。
【００３９】
次に、図１６〜図１９を参照して、グルーブトラック及びランドトラックにデータを記録する場合について説明する。
【００４０】
図１６は、ヘッダ領域の直後のグルーブトラックにユーザデータ（＝コンテンツデータ）を記録した状態を示す図である。ヘッダ領域の直後のグルーブトラックの記録開始位置における半径方向の一方の隣接領域はランド領域とミラー部であり、他方の隣接領域はランド領域とグルーブトラックである。このため、左右の戻り光がアンバランスとなってしまう。また、グルーブトラックへの記録開始のタイミングが、ｐｕｓｈ−ｐｕｌｌトラッキングと同時になる。このため、記録開始直後に記録状態及びトラッキングが不安定となることが予想される。
【００４１】
続いて、図１７を参照して、グルーブトラックの延長上のヘッダ領域の終端から円周方向に所定長（所定長Ｔ＝α／２＝Ｎ／２）だけ離れた位置を記録開始位置とし、又ヘッダ領域の先端から円周方向に所定長（所定長Ｔ＝α／２＝Ｎ／２）だけ離れた位置を記録終了位置として、グルーブトラックにユーザデータを記録するケースについて説明する。この場合、グルーブトラックの記録開始位置における半径方向の隣接領域の片側だけにミラー部が現れるという状態は避けられる。グルーブトラックへの記録開始のタイミングが、ｐｕｓｈ−ｐｕｌｌトラッキングと時間差で生じる。このため、記録開始直後に記録状態及びトラッキングが不安定となる状態を避けることができる。
【００４２】
続いて、図１８を参照して、グルーブトラックの延長上のヘッダ領域の終端から円周方向に所定長（所定長Ｔ＝α＝Ｎ）だけ離れた位置を記録開始位置とし、又ヘッダ領域の先端から円周方向に所定長（所定長Ｔ＝α＝Ｎ）だけ離れた位置を記録終了位置として、グルーブトラックにユーザデータを記録するケースについて説明する。この場合も、グルーブトラックの記録開始位置における半径方向の隣接領域の片側だけがミラー部になってしまうという状態は避けられる。さらに、グルーブトラックの両トラックへの記録開始のタイミングが、ｐｕｓｈ−ｐｕｌｌトラッキングと時間差で生じる。このため、記録開始直後に記録状態及びトラッキングが不安定となる状態を避けることができる。しかも、図１７のケースよりも、記録開始位置を長く取っているので、その分、トラッキングは安定する。
【００４３】
続いて、図１９を参照して、グルーブトラックの延長上のヘッダ領域の終端から円周方向に所定長（所定長Ｔ＝α／２＝Ｎ／２）だけ離れた位置を記録開始位置とし、又グルーブトラックの延長上のヘッダ領域の先端直前を記録終了位置として、グルーブトラックにユーザデータを記録するケースについて説明する。この場合、グルーブトラックの記録開始位置における半径方向の隣接領域の片側だけがミラー部という状態は避けられる。しかも、グルーブトラックへの記録開始のタイミングが、ｐｕｓｈ−ｐｕｌｌトラッキングと時間差で生じる。このため、記録開始直後に記録状態及びトラッキングが不安定となる状態を避けることができる。また、上記したように記録終了位置を定めることにより、記録容量の低下を抑制できる。
【００４４】
以下、上記説明したこの発明の光ディスクの構成についてまとめる。
【００４５】
（１）この発明の光ディスクは、基板上に、スパイラル状のグルーブトラックとこのグルーブトラックに隣接するスパイラル状のランドトラックを有する。グルーブトラックが途切れた領域に少なくとも情報記録単位の番号が記録された識別情報（ヘッダデータ）が、グルーブトラックおよびランドトラックの延長線上に配された微小な凹部あるいは凸部であるプリピットにより予め記録されている。グルーブトラックの途切れた領域がトラックに沿って略一定の間隔Ｄ（ｍｍ）を置いて形成されている。ディスク内の任意のトラック１周はＭ×Ｄ＋α（ｍｍ）あるいはＭ×Ｄ−α（ｍｍ）（Ｍ：自然数、α：０でない正の実数）の長さを持ち、αはディスク内で略一定である。グルーブトラック上の識別情報とランドトラック上の識別情報はそれぞれ少なくとも２つに分割されている。分割された各々の識別情報は、識別情報の配されたトラックに隣接するランドトラックあるいはグルーブトラック上の分割された識別情報の間に配置されている。グルーブトラック及びランドトラックの記録開始位置あるいは記録終了位置が、グルーブの途切れた領域からα以上かつ２α以下の間隔を隔てた領域にある。
【００４６】
（２）さらに（１）の記載に加えて、分割された各々の識別情報は略同一の長さであり、分割された各々の識別情報に記録された情報記録単位の番号は同一である。
【００４７】
（３）さらに（１）の記載に加えて、実数αは、分割された一つの識別情報の物理的長さの略２倍である。
【００４８】
（４）この発明の光ディスクは、基板上に、スパイラル状のグルーブトラックを有する。グルーブトラックが途切れた領域に少なくとも情報記録単位の番号が記録された識別情報（ヘッダデータ）が、グルーブトラックの延長線上に配された微小な凹部あるいは凸部であるプリピットにより予め記録されている。グルーブトラックの途切れた領域がトラックに沿って略一定の間隔Ｄ（ｍｍ）を置いて形成されている。ディスク内の任意のトラック１周はＭ×Ｄ＋α（ｍｍ）あるいはＭ×Ｄ−α（ｍｍ）（Ｍ：自然数、α：０でない正の実数）の長さを持ち、αはディスク内で略一定である。グルーブトラック上の識別情報は少なくとも２つに分割されている。分割された各々の識別情報は、識別情報の配されたトラックに隣接するグルーブトラック上の分割された識別情報の間に配置されている。グルーブトラックの記録開始位置あるいは記録終了位置がグルーブトラックの途切れた領域からα以上かつ２α以下の間隔を隔てた領域にある。
【００４９】
（５）さらに（４）の記載に加えて、分割された各々の識別情報は略同一の長さであり、分割された各々の識別情報に記録された情報記録単位の番号は同一である。
【００５０】
（６）さらに（４）の記載に加えて、実数αは、分割された一つの識別情報の物理的長さの略２倍である。
【００５１】
（７）この発明の光ディスクは、基板上に、スパイラル状のグルーブトラックとこのグルーブトラックに隣接するスパイラル状のランドトラックを有する。グルーブトラックが途切れた領域に少なくとも情報記録単位の番号が記録された識別情報（ヘッダデータ）が、グルーブトラックおよびランドトラックの延長線上に配された微小な凹部あるいは凸部であるプリピットにより予め記録されている。
【００５２】
グルーブトラックの途切れた領域がトラックに沿って略一定の間隔Ｄ（ｍｍ）を置いて形成されている。ディスク内の任意のトラック１周はＭ×Ｄ＋α（ｍｍ）あるいはＭ×Ｄ−α（ｍｍ）（Ｍ：自然数、α：０でない正の実数）の長さを持ち、αはディスク内で略一定である。グルーブトラック上の識別情報とランドトラック上の識別情報はそれぞれ少なくとも２つに分割されている。分割された各々の識別情報は、識別情報の配されたトラックに隣接するランドトラックあるいはグルーブトラック上の分割された識別情報の間に配置されている。グルーブトラック及びランドトラックの記録開始位置あるいは記録終了位置が前記グルーブの途切れた領域から（α―ｓ）以上かつα以下の間隔を隔てた領域にある。尚、ｓは分割された一つの識別情報の物理的長さである。
【００５３】
（８）さらに（７）の記載に加えて、分割された各々の識別情報は略同一の長さであり、分割された各々の識別情報に記録された情報記録単位の番号は同一である。
【００５４】
（９）さらに（７）の記載に加えて、実数αは、分割された一つの識別情報の物理的長さの略２倍である。
【００５５】
（１０）この発明の光ディスクは、基板上に、スパイラル状のグルーブトラックを有する。グルーブトラックが途切れた領域に少なくとも情報記録単位の番号が記録された識別情報（ヘッダデータ）が、グルーブトラックの延長線上に配された微小な凹部あるいは凸部であるプリピットにより予め記録されている。グルーブトラックの途切れた領域がトラックに沿って略一定の間隔Ｄ（ｍｍ）を置いて形成されている。ディスク内の任意のトラック１周はＭ×Ｄ＋α（ｍｍ）あるいはＭ×Ｄ−α（ｍｍ）（Ｍ：自然数、α：０でない正の実数）の長さを持ち、αはディスク内で略一定である。グルーブトラック上の識別情報は少なくとも２つに分割されている。分割された各々の識別情報は、識別情報の配されたトラックに隣接するグルーブトラック上の分割された識別情報の間に配置されている。グルーブトラックの記録開始位置あるいは記録終了位置が、グルーブの途切れた領域から（α−ｓ）以上かつα以下の間隔を隔てた領域にある。尚、ｓは分割された一つの識別情報の物理的長さである。
【００５６】
（１１）さらに（１０）の記載に加えて、分割された各々の識別情報は略同一の長さであり、分割された各々の識別情報に記録された情報記録単位の番号は同一である。
【００５７】
（１２）さらに（１０）の記載に加えて、実数αは、分割された一つの識別情報の物理的長さの略２倍である。
【００５８】
以下、この発明の光ディスクの効果についてまとめる。
【００５９】
本発明の光ディスクは、ディスク上にスパイラル状に形成されたグルーブあるいはグルーブとランドの情報記録トラックにユーザデータ（コンテンツデータ）を記録するものであり、識別情報をグルーブの途切れた領域（ヘッダ領域）にプリピットとして記録する。このヘッダ領域をディスク半径方向について少しずつずらして形成し、ディスク面内でヘッダ領域がスパイラルを形成するように構成する。これにより、２層の情報記録層を有する光ディスクにおいて、一方の層から他方の層へ漏れこむクロストークを低減することが可能となる。また、識別情報を含むプリピットヘッダを２等分させ、隣接するトラック上のプリピットヘッダの間に交互に配置することにより、ヘッダ領域をトラック毎にずらしたことによる冗長度を軽減することができ、ユーザデータの記憶容量を増加させることが可能となる。さらに記録トラックへの記録開始または終了位置をヘッダー領域とは隣接しないように配置したことで、安定したトラキングと記録が可能となる。
【００６０】
続いて、上記第１の実施形態及び第２の実施形態で説明した光ディスクを処理する光ディスク装置について説明する。図２０は、光ディスク装置の概略構成を示す図である。この光ディスク装置は、上記第１の実施形態及び第２の実施形態で説明した光ディスクに記録されたプリピットヘッダ１０９及び１１０を読み取り、プリピットヘッダ１０９及び１１０に反映された識別情報（ヘッダデータ）を頼りに、目的の記録領域に対してユーザデータ（コンテンツデータ）を記録したり、目的の記録領域からユーザデータを再生したりするものである。
【００６１】
図２０に示すように、光ディスク装置は、変調回路２０２、レーザ制御回路２０３、レーザ２０４、コリメートレンズ２０５、偏光ビームスプリッタ（以下ＰＢＳ）２０６、４分の１波長板２０７、対物レンズ２０８、集光レンズ２０９、光検出器２１０、信号処理回路２１１、復調回路２１２、フォーカスエラー信号生成回路２１３、トラッキングエラー信号生成回路２１４、ヘッダ検知回路２１５、フォーカス制御回路２１６、トラッキング制御回路２１７を備えている。
【００６２】
まず、この光ディスク装置によるデータの記録について説明する。記録データ（データシンボル）は、変調回路２０２により所定のチャネルビット系列に変調される。記録データに対応したチャネルビット系列は、レーザ制御回路２０３によりレーザ駆動波形に変換される。レーザ制御回路２０３は、レーザ２０４をパルス駆動し、所望のビット系列に対応したデータを光ディスク１０１上に記録する。レーザ２０４から放射された記録用の光ビームは、コリメートレンズ２０５で平行光となり、ＰＢＳ２０６に入射し、透過する。ＰＢＳ２０６を透過したビームは４分の１波長板２０７を透過し、対物レンズ２０８により光ディスク１０１の情報記録面に集光される。集光されたビームは、フォーカス制御回路２１６によるフォーカス制御及びトラッキング制御回路２１７によるトラッキング制御により、記録面上に最良の微小スポットが得られる状態で維持される。
【００６３】
続いて、この光ディスク装置によるデータの再生について説明する。データ再生指示に基づき、レーザ２０４は再生用の光ビームを放射する。レーザ２０４から放射された再生用の光ビームは、コリメートレンズ２０５で平行光となり、ＰＢＳ２０６に入射し、透過する。ＰＢＳ２０６を透過した光ビームは４分の１波長板２０７を透過し、対物レンズ２０８により光ディスク１の情報記録面に集光される。集光されたビームは、フォーカス制御回路２１６によるフォーカス制御及びトラッキング制御回路２１７によるトラッキング制御により、記録面上に最良の微小スポットが得られる状態で維持される。このとき、光ディスク１０１上に照射された再生用の光ビームは、情報記録面内の反射膜あるいは反射性記録膜により反射される。反射光は対物レンズ２０８を逆方向に透過し、再度平行光となる。反射光は４分の１波長板２０７を透過し、入射光に対して垂直な偏光を持ち、ＰＢＳ２０６では反射される。ＰＢＳ２０６で反射されたビームは集光レンズ２０９により収束光となり、光検出器２１０に入射される。光検出器２１０は、例えば、４分割のフォトディテクタから構成されている。光検出器２１０に入射した光束は光電変換されて電気信号となり増幅される。増幅された信号は信号処理回路２１１にて等化され２値化され、復調回路２１２に送られる。復調回路２１２では所定の変調方式に対応した復調動作を施されて、再生データが出力される。
【００６４】
また、光検出器２１０から出力される電気信号の一部に基づき、フォーカスエラー信号生成回路２１３によりフォーカスエラー信号が生成される。同様に、光検出器２１０から出力される電気信号の一部に基づき、トラッキングエラー信号生成回路２１４によりトラッキングエラー信号が生成される。フォーカス制御回路２１６は、フォーカスエラー信号に基づきビームスポットのフォーカスを制御する。トラッキング制御回路２１７は、トラッキングエラー信号に基づきビームスポットのトラッキングを制御する。
【００６５】
さらに、光検出器２１０から出力される電気信号に基づき、ヘッダ検知回路２１５によりプリピットヘッダ１０９及び１１０が検知される。つまり、このヘッダ検知回路２１５は、ヘッダデータが反映されたプリピットヘッダ１０９及び１１０を検知する。ヘッダ検知回路２１５によりヘッダが検知されたタイミングで、復調回路２１２から出力される再生データがヘッダデータである。ヘッダデータに基づき、目的の記録領域から目的のデータが再生されたり、目的の記録領域に対して目的のデータが記録されたりする。即ち、ユーザデータ記録時には、図１０〜図１９で説明した記録開始位置からユーザデータの記録が開始され、記録終了位置でユーザデータの記録が終了される。同様に、ユーザデータ再生時には、図１０〜図１９で説明した記録開始位置から記録終了位置までの間で読み取られたデータをユーザデータとして出力する。
【００６６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００６７】
【発明の効果】
この発明によれば、再生信号品質の劣化を防止することが可能な記録フォーマットによりデータが記録された光ディスクを提供できる。また、この発明によれば、再生信号品質の劣化を防止することが可能な記録フォーマットで光ディスクに対してデータを記録することが可能な光ディスク装置、及びこの記録フォーマットで記録されたデータを再生することが可能な光ディスク装置を提供できる。
【図面の簡単な説明】
【図１】本発明の第１の実施形態に係る光ディスク（ランド＆グルーブ記録）のトラックおよびヘッダ領域の配置を示す図である。
【図２】２層の情報記録層を持つ光ディスクにおける光ビームの集光の様子を説明するための図である。
【図３】デフォーカス状態の光スポットが情報記録層を走査する様子を説明するための図である。
【図４】デフォーカス状態の光スポットが記録済み領域及び未記録領域の混在する情報記録層を走査する様子を説明するための図である。
【図５】本発明の第１の実施形態において、識別情報が反映されたプリピットヘッダを分割配置した様子を示す図である。
【図６】本発明の第２の実施形態に係る光ディスク（グルーブ記録）のトラックおよびヘッダ領域の配置を示す図である。
【図７】本発明の第１の実施形態において、識別情報が反映されたプリピットヘッダを分割配置した様子を示す図である。
【図８】本発明の光ディスクにおいて、１トラックに渡るヘッダ領域の配置を説明するための図である。
【図９】２つの記録層を有する光ディスクの第１層再生時に得られる再生信号の信号レベルについて説明するための図である。
【図１０】第１の実施形態の光ディスクにおいて、ヘッダ領域の直後のグルーブトラック及びランドトラックにユーザデータ（＝コンテンツデータ）を記録した状態を示す図である。
【図１１】第１の実施形態の光ディスクにおいて、ヘッダ領域の直後からユーザデータを記録しないケースその１を説明するための図である。
【図１２】第１の実施形態の光ディスクにおいて、ヘッダ領域の直後からユーザデータを記録しないケースその２を説明するための図である。
【図１３】第１の実施形態の光ディスクにおいて、ヘッダ領域の直後からユーザデータを記録しないケースその３を説明するための図である。
【図１４】第１の実施形態の光ディスクにおいて、ヘッダ領域の直後からユーザデータを記録しないケースその４を説明するための図である。
【図１５】第１の実施形態の光ディスクにおいて、ヘッダ領域の直後からユーザデータを記録しないケースその５を説明するための図である。
【図１６】第２の実施形態の光ディスクにおいて、ヘッダ領域の直後からユーザデータを記録しないケースその１を説明するための図である。
【図１７】第２の実施形態の光ディスクにおいて、ヘッダ領域の直後からユーザデータを記録しないケースその２を説明するための図である。
【図１８】第２の実施形態の光ディスクにおいて、ヘッダ領域の直後からユーザデータを記録しないケースその３を説明するための図である。
【図１９】第２の実施形態の光ディスクにおいて、ヘッダ領域の直後からユーザデータを記録しないケースその４を説明するための図である。
【図２０】この発明の一例に係る光ディスク装置の概略構成を示す図である。
【図２１】従来の光ディスクのトラック構造の一例を示す図である。
【図２２】従来の二つの記録層を有する光ディスクにおける光ビームの集光の様子を説明するための図である。
【図２３】従来の光ディスクにおいて、デフォーカス状態の光スポットが記録済み領域及び未記録領域の混在する情報記録層を走査する様子を説明するための図である。
【図２４】従来の光ディスクにおいて、デフォーカス状態の光スポットが記録済み領域及び未記録領域の混在する情報記録層を走査したときに得られる、光スポットの反射率及び透過率の変化を説明するための図である。
【符号の説明】
１０１…光ディスク
１０５…グルーブトラック
１０６…ランドトラック
１０７…記録領域
１０８…ヘッダ領域
１０９、１１０…プリピットヘッダ
２０２…変調回路
２０３…レーザ制御回路
２０４…レーザ
２０５…コリメートレンズ
２０６…偏光ビームスプリッタ
２０７…４分の１波長板
２０８…対物レンズ
２０９…集光レンズ
２１０…光検出器
２１１…信号処理回路
２１２…復調回路
２１３…フォーカスエラー信号生成回路
２１４…トラッキングエラー信号生成回路
２１５…ヘッダ検知回路
２１６…フォーカス制御回路
２１７…トラッキング制御回路
【図１】
0003545740.tif 000002
【図２】
0003545740.tif 000003
【図３】
0003545740.tif 000004
【図４】
0003545740.tif 000005
【図５】
0003545740.tif 000006
【図６】
0003545740.tif 000007
【図７】
0003545740.tif 000008
【図８】
0003545740.tif 000009
【図９】
0003545740.tif 000010
【図１０】
0003545740.tif 000011
【図１１】
0003545740.tif 000012
【図１２】
0003545740.tif 000013
【図１３】
0003545740.tif 000014
【図１４】
0003545740.tif 000015
【図１５】
0003545740.tif 000016
【図１６】
0003545740.tif 000017
【図１７】
0003545740.tif 000018
【図１８】
0003545740.tif 000019
【図１９】
0003545740.tif 000020
【図２０】
0003545740.tif 000021
【図２１】
0003545740.tif 000022
【図２２】
0003545740.tif 000023
【図２３】
0003545740.tif 000024
【図２４】
0003545740.tif 000025